(57)【特許請求の範囲】
【請求項１】
エアコン室外機を複数点で支持すべくそれら複数点に対応して、前記室外機を設置する設置面上に独立して立脚する支持脚であって、
前記室外機を固定可能な固定部を有する脚本体と、前記脚本体と前記設置面との間に配置されて、下面に開口する基台とを備え、かつ、
前記脚本体と前記基台とが、高さ方向に相対的に移動可能となるように連結される連結手段を備え、
前記脚本体は、下面に開口する中空体からなり、かつ、上部側が径小部となり、下部側が径大部となって、それら径小部と径大部とをつなぐ、前記脚本体の高さの略中央に、外周にあって上方を向く外周段部と、内周にあって下方を向く内周段部とが設けられ、
前記連結手段は、前記径大部の内周に設けられた、高さ方向を軸心とする雌ねじ部と、前記基台の外周に設けられた、前記雌ねじ部と螺合する雄ねじ部とからなり、
一の前記脚本体の下面開口から、他の前記脚本体の上面側が嵌まり込むことで、前記一の脚本体の、内周に前記雌ねじ部を備えた前記径大部と、前記他の脚本体の前記径小部が重なり、前記一の脚本体の前記内周段部と、前記他の脚本体の上面とが当接するとともに、前記一の脚本体の下面と、前記他の脚本体の前記外周段部とが当接するようにして、前記脚本体は、複数が高さ方向に順次嵌まり合って積み重ね可能となることを特徴とするエアコン室外機の支持脚。
【請求項２】
請求項１に記載の支持脚と、その支持脚と前記設置面との間に配置されて前記支持脚が載るスペーサー部材とを、備える支持脚装置であって、
前記支持脚は、下面に略円形に開口する開口部を有し、
前記スペーサー部材は、上面が、略球面状に形成されてなることを特徴とするエアコン室外機の支持脚装置。
【請求項３】
エアコン室外機を複数点で支持すべくそれら複数点に対応して、前記室外機を設置する設置面上に独立して立脚する支持脚と、
前記支持脚と前記設置面との間に配置されて前記支持脚が載るスペーサー部材とを備え、
前記支持脚は、下面に略円形に開口する開口部を有し、
前記スペーサー部材は、上面が、略球面状に形成され、また、
前記スペーサー部材は、上面に、一方向に延びる複数の上面溝と、それら上面溝間の複数の上面リブとからなる、上面凹凸部を有するとともに、下面に、一方向に延びる複数の下面溝と、それら下面溝間の複数の下面リブとからなる、下面凹凸部を有し、
一の前記スペーサー部材の下面溝と、他の前記スペーサー部材の上面リブとが嵌まり合うとともに、前記一のスペーサー部材の下面リブと、前記他のスペーサー部材の上面溝とが嵌まり合うようにして、前記一のスペーサー部材の下面凹凸部と、前記他のスペーサー部材の上面凹凸部とが適宜位置で係合することで、前記スペーサー部材は、複数が順次係合して高さ方向に積み重ね可能となることを特徴とするエアコン室外機の支持脚装置。
【発明の詳細な説明】
【０００１】
【発明の属する技術分野】
この発明は、エアコン室外機を、簡単な構造で、安定して支持することができる、エアコン室外機の支持脚、および支持脚装置に関するものである。
【０００２】
【従来の技術および発明が解決しようとする課題】
従来、エアコン室外機を支持する支持脚として、例えば、実開平４−７４２２８号に示される据付台があった。かかる据付台１１は、図８に示されるように、押出成形品からなり、その長手方向がエアコン室外機１２の一辺に沿うように、連続して設置面１３に載置された。そのため、この据付台１１は、設置面１３の不陸状態により著しい影響を受けた。すなわち、この据付台１１が、不陸面上に載置された場合、据付台１１に支持された室外機１２がガタついたり、据付台１１自身に余分な応力が加わりその据付台１１が変形したりして、室外機１２を確実に支持することができなかった。さらには、この据付台１１においては、設置面１３の前後の段差に対応することができなかった。
【０００３】
また、従来、エアコン室外機を支持する支持脚として、特開平５−１５７２９２号に示される据付台があった。かかる据付台２１は、図９に示されるように、エアコン室外機２２が載せられる枠体２３と、その枠体２３に一体的に結合されて設置面２４に立脚する４本の支持脚２５、２５とからなっていた。そのため、この据付台２１が、不陸面上に載置された場合、据付台２１に支持された室外機２２がガタつきを伴うことがあった。さらには、据付台２１は、支持脚２５、２５の他に枠体２３を備えるため、部品点数が多く、コスト高であり、組立作業や設置作業も面倒であった。なお、この据付台２１は、支持脚２５の下面に、ボルトによる高さ調節手段２６を備えるが、各支持脚２５が枠体２３を介して一体的であるため、４つの支持脚２５、２５を不陸面に安定して当接させるべく調節するのは難しく、また面倒であった。
【０００４】
この発明は、上記した従来の欠点を解決するためになされたものであり、その目的とするところは、エアコン室外機を、簡単な構造で、安定して支持することができる、エアコン室外機の支持脚、および支持脚装置を提供することにある。
【０００５】
【課題を解決するための手段】
この発明に係るエアコン室外機の支持脚、および支持脚装置は、前記目的を達成するために、次の構成からなる。すなわち、
請求項１に記載の発明に係るエアコン室外機の支持脚は、エアコン室外機を複数点で支持すべくそれら複数点に対応して、前記室外機を設置する設置面上に独立して立脚する支持脚であって、前記室外機を固定可能な固定部を有する脚本体と、前記脚本体と前記設置面との間に配置されて、下面に開口する基台とを備える。さらに、支持脚は、前記脚本体と前記基台とが、高さ方向に相対的に移動可能となるように連結される連結手段を備える。ここで、前記脚本体は、下面に開口する中空体からなり、かつ、上部側が径小部となり、下部側が径大部となって、それら径小部と径大部とをつなぐ、前記脚本体の高さの略中央に、外周にあって上方を向く外周段部と、内周にあって下方を向く内周段部とが設けられる。そして、前記連結手段は、前記径大部の内周に設けられた、高さ方向を軸心とする雌ねじ部と、前記基台の外周に設けられた、前記雌ねじ部と螺合する雄ねじ部とからなる。そこで、一の前記脚本体の下面開口から、他の前記脚本体の上面側が嵌まり込むことで、前記一の脚本体の、内周に前記雌ねじ部を備えた前記径大部と、前記他の脚本体の前記径小部が重なり、前記一の脚本体の前記内周段部と、前記他の脚本体の上面とが当接するとともに、前記一の脚本体の下面と、前記他の脚本体の前記外周段部とが当接するようにして、前記脚本体は、複数が高さ方向に順次嵌まり合って積み重ね可能となる。
【０００６】
こうして、支持脚は、エアコン室外機を支持する複数点に対応して、独立して立脚するので、設置面が若干の不陸状態にあっても、各支持脚は、その不陸状態の影響を受けにくい。さらに、各支持脚が、独立して立脚することから、支持脚への室外機の固定は独立して行われ、その固定作業を簡単に行うことができる。そして、支持脚が備える脚本体は、複数が高さ方向に順次嵌まり合って積み重ね可能となるように形成されており、脚本体を、一個用いる、あるいは二個以上積み重ねて用いることにより、この支持脚を高さ調整することができる。しかも、支持脚は、脚本体と基台とが、高さ方向に相対的に移動可能となるように連結される連結手段を備えるので、脚本体と基台とを相対的に移動させることで、この支持脚を高さ調整することができる。こうして、支持脚の高さ調整は、脚本体を、一個用いる、あるいは二個以上積み重ねて用いることで概略の調整を行った後に、最下部の脚本体と基台との螺合の度合いを調整することで微調整することができる。従って、設置面が大きな不陸状態にあっても、また、設置面に段差があっても、各支持脚の高さを調整することで、室外機をほぼ水平に支持することができる。
【０００７】
また、脚本体の積み重ねは、一の脚本体の下面開口から、他の脚本体の上面側が嵌まり込むことでなされるので、運搬や保管の際に、この脚本体を積み重ねることでコンパクトにできる。
また、脚本体を積み重ねると、内周段部と上面が当接するだけでなく、下面と外周段部が当接するので、この支持脚の耐荷重を大きくすることができる。
【０００８】
【０００９】
【００１０】
そして、脚本体と基台とは、脚本体の径大部に設けられた雌ねじ部と、基台に設けられた雄ねじ部との螺合の度合いを螺回動により調整することで、相対的に高さ方向の任意の位置に移動する。従って、この支持脚を無段階に高さ調整することができる。
【００１１】
しかも、雌ねじ部は、中空体からなる脚本体の径大部の内周に設けられ、雄ねじ部は、基台の外周に設けられているので、雌ねじ部と雄ねじ部のねじ径を大きくすることができ、脚本体と基台とを強固に連結することができる。
【００１２】
また、基台は、下面に開口するので、この基台が、設置面に直接当接する場合であっても、基台の下面周囲のみが設置面に当接する。従って、設置面が不陸状態にあっても、その影響を受けにくい。
【００１３】
【００１４】
【００１５】
【００１６】
また、請求項２に記載の発明に係るエアコン室外機の支持脚装置は、請求項１に記載の支持脚と、その支持脚と前記設置面との間に配置されて前記支持脚が載るスペーサー部材とを、備える。そして、前記支持脚は、下面に略円形に開口する開口部を有する。また、前記スペーサー部材は、上面が、略球面状に形成されている。
【００１７】
こうして、支持脚がスペーサー部材に載ると、支持脚の略円形の開口部が、スペーサー部材の略球面状に形成された上面と当接する。従って、支持脚がスペーサー部材に載る位置を調整することで、設置面が傾斜面であっても、支持脚を鉛直方向に立脚させることができる。
【００１８】
また、請求項３に記載の発明に係るエアコン室外機の支持脚装置は、エアコン室外機を複数点で支持すべくそれら複数点に対応して、前記室外機を設置する設置面上に独立して立脚する支持脚と、前記支持脚と前記設置面との間に配置されて前記支持脚が載るスペーサー部材とを備える。そして、前記支持脚は、下面に略円形に開口する開口部を有する。また、前記スペーサー部材は、上面が、略球面状に形成されている。さらに、前記スペーサー部材は、上面に、一方向に延びる複数の上面溝と、それら上面溝間の複数の上面リブとからなる、上面凹凸部を有するとともに、下面に、一方向に延びる複数の下面溝と、それら下面溝間の複数の下面リブとからなる、下面凹凸部を有する。そこで、一の前記スペーサー部材の下面溝と、他の前記スペーサー部材の上面リブとが嵌まり合うとともに、前記一のスペーサー部材の下面リブと、前記他のスペーサー部材の上面溝とが嵌まり合うようにして、前記一のスペーサー部材の下面凹凸部と、前記他のスペーサー部材の上面凹凸部とが適宜位置で係合することで、前記スペーサー部材は、複数が順次係合して高さ方向に積み重ね可能となる。
【００１９】
こうして、支持脚は、エアコン室外機を支持する複数点に対応して、独立して立脚するので、設置面が若干の不陸状態にあっても、この支持脚を備える支持脚装置は、その不陸状態の影響を受けにくい。さらに、各支持脚が、独立して立脚することから、支持脚への室外機の固定は独立して行われ、その固定作業を簡単に行うことができる。そして、支持脚がスペーサー部材に載ると、支持脚の略円形の開口部が、スペーサー部材の略球面状に形成された上面と当接する。従って、支持脚がスペーサー部材に載る位置を調整することで、設置面が傾斜面であっても、支持脚を鉛直方向に立脚させることができる。
【００２０】
【００２１】
また、前記スペーサー部材は、複数が順次係合して高さ方向に積み重ね可能となるように形成されているので、スペーサー部材を適宜枚数積み重ねることにより、支持脚装置の高さを調整することができる。
【００２２】
また、前記スペーサー部材の積み重ねは、一のスペーサー部材の下面凹凸部と、他のスペーサー部材の上面凹凸部とが適宜位置で係合することでなされるので、その係合が確実に行われる。さらに、スペーサー部材を、高さ方向に真っ直ぐ積み重ねるのではなく、順次横にずれた位置で積み重ねることにより、これらスペーサー部材の相対的な傾き角度を順番に変えることができる。従って、設置面の傾斜が急であっても、支持脚を鉛直方向に立脚させることができる。
【００２３】
また、スペーサー部材は、一のスペーサー部材の一方向に延びる下面溝と、他のスペーサー部材の上面リブとが嵌まり合うとともに、一のスペーサー部材の下面リブと、他のスペーサー部材の一方向に延びる上面溝とが嵌まり合うことで係合して、積み重ねられる。従って、一のスペーサー部材と他のスペーサー部材とは、下面溝および下面リブと、上面リブおよび上面溝とが係合したまま、一方向に互いにずれることができる。
【００２４】
【００２５】
【００２６】
【発明の実施の形態】
以下、この発明に係るエアコン室外機の支持脚、および支持脚装置の実施の形態を図面に基づいて説明する。
【００２７】
図１ないし図５は、本発明に係るエアコン室外機の支持脚、および支持脚装置の第一の実施の形態を示す。図中符号１は、エアコン室外機である。２は、そのエアコン室外機１を設置する設置面である。３は、エアコン室外機１を支持する支持脚であり、図１に示すように、室外機１を複数点（図示実施の形態においては、室外機１のコーナー部の四点）で支持すべくそれら複数点に対応して設置面２上に独立して立脚する。４は、支持脚３と設置面２との間に配置されて支持脚３が載るスペーサー部材である。５は、支持脚装置であり、前記支持脚３と前記スペーサー部材４とからなる。
【００２８】
ここで、支持脚３は、脚本体６と、その脚本体６と設置面２との間に配置される基台７とで構成される。脚本体６は、例えば、ポリプロピレン樹脂等の合成樹脂を材料として、円筒状に形成された、下面６ａに開口する中空体からなる。そして、特に、この中空体における、下面６ａに開口する部分が、下面６ａに略円形に開口する開口部６ｂとなっている。さらに、脚本体６は、上部側が径小部６ｃ、下部側が径大部６ｄとなっており、それら径小部６ｃと径大部６ｄとをつなぐ部分となる、外周の高さ方向中間部には、上方を向くようにして、上から順に、第１の段部６ｅと外周段部となる第２の段部６ｆが設けられ、また、内周の高さ方向中間部には、下方を向くようにして、上から順に、内周段部となる第３の段部６ｇと第４の段部６ｈが設けられている。そして、脚本体６は、一の脚本体６の開口部６ｂから、他の脚本体６の上面６ｉ側が嵌まり込むことで、一の脚本体６の径大部６ｄと他の脚本体６の径小部６ｃが重なるようにして、複数が高さ方向に順次嵌まり合って積み重ね可能となるように形成されている。このとき、一の脚本体６の第３の段部６ｇと、他の脚本体６の上面６ｉとが当接するとともに、一の脚本体６の下面６ａと、他の脚本体６の第２の段部６ｆとが当接するようになっている（後述する第二の実施の形態における図７参照）。
【００２９】
また、脚本体６は、上面６ｉが、室外機１を固定可能な固定部６ｊとなっており、その固定部６ｊには、室外機１を固定するための固定ネジ８が螺入可能な螺入部としての、穴部６ｋおよび溝部６ｍ、６ｍが形成されている。穴部６ｋは、脚本体６の上面６ｉの略中央に穿設されており、その内径は、固定ネジ８の外径よりも若干小さくなっている。溝部６ｍ、６ｍは、断面略Ｖ字状に形成されて、脚本体６の上面６ｉ略中央から放射状に延びている。そして、固定部６ｊの裏面側には、リブ６ｎ、６ｎが、溝部６ｍ、６ｍと対応するように、略中央から放射状に延びている。
【００３０】
さらに、脚本体６は、その中空体の内周に、高さ方向を軸心とする第１のねじ部としての雌ねじ部６ｐが設けられている。この雌ねじ部６ｐは、径大部６ｄの内周の下端寄りの位置であって、内周を三等分する位置に分かれて形成されている。また、脚本体６は、下端にフランジ状の取付部６ｑが形成されており、その取付部６ｑには、取付ねじ等が挿入される取付孔６ｒ、６ｒが穿設されている。そして、この取付孔６ｒ、６ｒは、脚本体６が、設置面２に直接当接する場合に、脚本体６を設置面２に固定するのに利用される。
【００３１】
一方、基台７は、例えば、ポリプロピレン樹脂等の合成樹脂を材料として、円筒状に形成されており、上部側が径小部７ａ、下部側が若干の高さの径大部７ｂとなっている。そして、基台７は、その基台７の外周に、高さ方向を軸心とする第２のねじ部としての雄ねじ部７ｃが設けられている。この雄ねじ部７ｃは、径小部７ａの外周のほぼ全面に形成されるとともに、脚本体６の雌ねじ部６ｐと螺合可能に形成されている。こうして、脚本体６に設けられる雌ねじ部６ｐと、この基台７に設けられる雄ねじ部７ｃは、脚本体６と基台７とが、高さ方向に相対的に移動可能となるように連結される連結手段となっている。また、基台７は、円筒状に形成された上下の面が開口しており、特に、下側は、下面７ｄに略円形に開口する開口部７ｅとなっている。さらに、基台７は、脚本体６と同様に、下端にフランジ状の取付部７ｆが形成されており、その取付部７ｆには、取付ねじ等が挿入される取付孔７ｇ、７ｇが穿設されている。そして、この取付孔７ｇ、７ｇは、基台７が、設置面２に直接当接する場合に、基台７を設置面２に固定するのに利用される。
【００３２】
スペーサー部材４は、例えば、硬さ（ＪＩＳタイプＡ）６０ないし８０程度のエラストマーを材料とする、軟質部材からなり、上面４ａが略球面状に形成された、円盤形状をしている。そして、スペーサー部材４は、上面４ａに、上面凹凸部４ｂを有するとともに、下面４ｃに、下面凹凸部４ｄを有する。上面凹凸部４ｂは、一方向に延びる複数の上面溝４ｅ、４ｅと、それら上面溝４ｅ、４ｅ間の複数の上面リブ４ｆ、４ｆとからなる（図４参照）。下面凹凸部４ｄは、例えば、前記上面溝４ｅ、４ｅの延びる一方向と直交する方向となる、一方向に延びる複数の下面溝４ｇ、４ｇと、それら下面溝４ｇ、４ｇ間の複数の下面リブ４ｈ、４ｈとからなる（図５参照）。そして、スペーサー部材４は、一のスペーサー部材４の下面溝４ｇ、４ｇと、他のスペーサー部材４の上面リブ４ｆ、４ｆとが嵌まり合うとともに、一のスペーサー部材４の下面リブ４ｈ、４ｈと、他のスペーサー部材４の上面溝４ｅ、４ｅとが嵌まり合うようにして、下面凹凸部４ｄと上面凹凸部４ｂとは、適宜位置で係合することとなる。そして、これら一のスペーサー部材４と、他のスペーサー部材４とは、下面溝４ｇ、４ｇおよび下面リブ４ｈ、４ｈと、上面リブ４ｆ、４ｆおよび上面溝４ｅ、４ｅとが係合したまま、前記一方向に互いにずれることができる。こうして、スペーサー部材４は、複数が順次係合して高さ方向に積み重ね可能となっている（後述する第二の実施の形態における図７参照）。
【００３３】
そして、第一の実施の形態においては、各支持脚装置５は、一個の脚本体６と一個の基台７とで構成される支持脚３と、一枚のスペーサー部材４とからなっている。そして、支持脚３における脚本体６と基台７とは、雌ねじ部６ｐと雄ねじ部７ｃとが螺合することで組み付けられており、また、組み付けられた支持脚３は、基台７がスペーサー部材４の上面４ａに当接するようにして、そのスペーサー部材４に載せられる。また、室外機１は、そのコーナー部に設けられた各脚部１ａが、脚本体６の固定部６ｊに載せられて、穴部６ｋまたは溝部６ｍにねじ込まれる固定ネジ８により、固定されている。
【００３４】
次に、以上の構成からなるエアコン室外機１の支持脚３、支持脚装置５、およびスペーサー部材４の作用効果について説明する。図１に示すように、脚本体６と基台７とからなる支持脚３は、エアコン室外機１を支持する複数点（例えば、四点）に対応して、独立して立脚するので、設置面２が若干の不陸状態にあっても、各支持脚３は、その不陸状態の影響を受けにくい。さらに、各支持脚３が、独立して立脚することから、支持脚３への室外機１の固定は独立して行われ、その固定作業を簡単に行うことができる。
【００３５】
そして、支持脚３は、脚本体６と基台７とが、雌ねじ部６ｐと雄ねじ部７ｃとの螺合の度合いを螺回動により調整することで、相対的に高さ方向の任意の位置に移動する。従って、この支持脚３を無段階に高さ調整することができ、この高さ調整により、設置面２が大きな不陸状態にあっても、また、設置面２に段差があっても、室外機１をほぼ水平に支持することができる。従って、この支持脚３は、簡単な構造であるとともに、室外機１を、安定して支持することができる。さらに、雌ねじ部６ｐは、中空体からなる脚本体６の内周に設けられ、また、雄ねじ部７ｃは、基台７の外周に設けられることから、雌ねじ部６ｐおよび雄ねじ部７ｃのねじ径を大きくすることができ、脚本体６と基台７とを強固に連結することができる。従って、室外機１を、一層安定して支持することができる。
【００３６】
また、脚本体６は、一の脚本体６の開口部６ｂから、他の脚本体６の上面６ｉ側が嵌まり込むことで積み重ねられるので、運搬や保管の際にコンパクトにでき、この脚本体６の運搬や保管が容易となる。
【００３７】
また、脚本体６への室外機１の固定にあたっては、固定ネジ８を、脚本体６の上面６ｉ略中央の穴部６ｋに螺入したり、脚本体６の上面６ｉ略中央から放射状に延びる溝部６ｍ、６ｍに螺入したりすることで固定することができるので、その固定作業が容易となり、作業性が向上する。さらに、固定ネジ８は、溝部６ｍ、６ｍの任意の位置に螺入可能であるので、この脚本体６を備える支持脚３を、できるだけ不陸の少ない安定した場所にずらした位置で、この脚本体６に室外機１を固定することができ、室外機１をより一層安定して支持することができる。
【００３８】
また、支持脚３の基台７が、スペーサー部材４に載ると、基台７の略円形の開口部７ｅが、スペーサー部材４の略球面状に形成された上面４ａと当接する。従って、基台７がスペーサー部材４に載る位置を調整することで、基台７とスペーサー部材４との相対的な傾き角度を変えることができ、その結果、設置面２が傾斜面であっても、支持脚３を鉛直方向に立脚させることができる（図２参照）。従って、支持脚３と基台７とからなる支持脚装置５は、簡単な構造であるとともに、室外機１をより一層安定して支持することができる。そして、スペーサー部材４が、軟質部材からなることから、このスペーサー部材４によって、室外機１のモーター等による振動が吸収されるので、室外機１を、さらに一層安定して支持することができる。
【００３９】
図６および図７は、本発明に係るエアコン室外機の支持脚、および支持脚装置の第二の実施の形態を示す。この第二の実施の形態においては、第一の実施の形態とは、脚本体６、基台７およびスペーサー部材４は、同一材料同一形状であるが、使用個数が異なり、また、エアコン室外機１を設置する設置面２の状態が異なるが、他はほぼ同一であり、以下に、その異なる部分を主に説明する。
【００４０】
設置面２には、段差があり、この段差は、四つの支持脚装置５，５のうちの前側（手前側）の支持脚装置５、５が配備される前側設置面２ａが低く、後側（奥側）の支持脚装置５、５が配備される後側設置面２ｂが高くなるよう形成されている。さらに、前側設置面２ａおよび後側設置面２ｂは、前方側が低い傾斜面となっており、特に、前側設置面２ａは、その傾斜が急となっている。そして、この設置面２の段差および傾斜に対応するように、前側の支持脚装置５は、二個の脚本体６、６と一個の基台７とで構成される支持脚３と、三枚のスペーサー部材４、４とからなり、また、後側の支持脚装置５は、一個の脚本体６のみで構成される支持脚３と、一枚のスペーサー部材４とからなる。
【００４１】
ここで、前側の支持脚装置５においては、図７に示すように、二個の脚本体６、６が、上側の脚本体６の開口部６ｂから、下側の脚本体６の上面６ｉ側が嵌まり込むことで、上側の脚本体６の径大部６ｄと下側の脚本体６の径小部６ｃが重なるようにして、高さ方向に順次嵌まり合って積み重ねられている。また、このとき、上側の脚本体６の第３の段部６ｇと、下側の脚本体６の上面６ｉとが当接するとともに、上側の脚本体６の下面６ａと、下側の脚本体６の第２の段部６ｆとが当接する。また、三枚のスペーサー部材４、４は、高さ方向に積み重ねられている。このとき、上側のスペーサー部材４の下面溝４ｇ、４ｇと、下側のスペーサー部材４の上面リブ４ｆ、４ｆとが嵌まり合うとともに、上側のスペーサー部材４の下面リブ４ｈ、４ｈと、下側のスペーサー部材４の上面溝４ｅ、４ｅとが嵌まり合うようにして、下面凹凸部４ｄと、上面凹凸部４ｂとが係合する。そして、スペーサー部材４、４は、前側設置面２ａの傾斜に対応すべく、下側ほど前方にずれて積み重ねられて、これらスペーサー部材４、４の相対的な傾き角度を順番に変えている。そして、室外機１の脚部１ａが、上側の脚本体６の固定部６ｊに載せられて、溝部６ｍにねじ込まれる固定ネジ８により、固定されている。また、基台７は、下側の脚本体６と螺合している。
【００４２】
また、後側の支持脚装置５においては、基台７は使用されず、脚本体６が、直接スペーサー部材４に載せられている。こうして、基台７がスペーサー部材４に載る場合と同様にして、脚本体６がスペーサー部材４に載ると、脚本体６の略円形の開口部６ｂが、スペーサー部材４の略球面状に形成された上面４ａと当接する。従って、脚本体６が、スペーサー部材４に載る位置を調整することで、脚本体６とスペーサー部材４との相対的な傾き角度を変えることができ、その結果、後側設置面２ｂが傾斜面であっても、支持脚を鉛直方向に立脚させることができる（図６参照）。
【００４３】
そして、上記構成からなる前側および後側の支持脚装置５、５にあっては、脚本体６を、一個用いる、あるいは二個以上積み重ねて用いることにより、支持脚３、３の高さが調整される。さらに、前側の支持脚装置５においては、使用する脚本体６の個数により、概略の高さ調整を行った後に、最下部の脚本体６と基台７との螺合の度合いを調整することで高さが微調整される。こうして、設置面２に段差があっても、各支持脚３の高さを調整することで、室外機１がほぼ水平に支持される。また、支持脚３の高さ調整が、脚本体６、６を積み重ねたり、脚本体６と基台７との螺合の度合いを調整したり、スペーサー部材４、４を積み重ねたりすることでできるため、この高さ調整作業が簡単に、そして、すばやく行うことができる。
【００４４】
なお、本発明は、上述した実施の形態に限定されるわけではなく、その他種々の変更が可能である。例えば、脚本体６と基台７とを連結する連結手段は、雌ねじ部６ｐと雄ねじ部７ｃとから構成されなくとも、脚本体６または基台７の一方に形成された高さ方向に延びる長孔と、他方に形成されたねじ孔と、前記長孔に挿入されて前記ねじ孔にねじ込まれる止めねじとから構成されてもよい。また、連結手段は、脚本体６または基台７の一方に形成された高さ方向に並ぶ凹凸部と、他方に形成されて前記凹凸部の高さ方向の任意の位置で係合する係合部とからなっていてもよい。
【００４５】
また、脚本体６は、積み重ねられたとき、上側の脚本体６の第３の段部６ｇと下面６ａとが、下側の脚本体６の上面６ｉと第２の段部６ｆとに当接するよう形成されていなくとも、上側の脚本体６の第３の段部６ｇと下面６ａとのいずれか一方のみが、下側の脚本体６の上面６ｉまたは第２の段部６ｆに当接するよう形成されていてもよい。また、脚本体６の固定部６ｊは、上面６ｉに設けられなくとも、径小部６ｃの外周面等に設けられてもよい。
【００４６】
また、スペーサー部材４の上面溝４ｅと下面溝４ｇとは、直交する方向に延びなくとも、同一の方向等、その他の方向に延びてもよい。さらには、スペーサー部材４の上面溝４ｅや下面溝４ｇはなくともよい。また、スペーサー部材４は、軟質部材からならなくとも、硬質部材からなっていてもよい。
【００４７】
また、室外機１を支持するにあたり、スペーサー部材４を用いることなく、基台７を直接設置面２に当接させてもよい。この場合、基台７は、下面７ｄに開口する開口部７ｅを有することから、基台７の下面周囲のみが設置面２に当接する。従って、この基台７は、設置面２が不陸状態にあっても、その影響を受けにくい。さらに、室外機１を支持するにあたり、スペーサー部材４および基台７を用いることなく、脚本体６を直接設置面２に当接させてもよい。この場合にも、前記と同様に、脚本体６は、下面６ａに開口する開口部６ｂを有することから、脚本体６の下面周囲のみが設置面２に当接する。従って、この脚本体６は、設置面２が不陸状態にあっても、その影響を受けにくい。
【００４８】
【発明の効果】
以上、詳述したところから明らかなように、この発明に係るエアコン室外機の支持脚、および支持脚装置によれば、次の効果がある。
【００４９】
請求項１に記載されたエアコン室外機の支持脚によれば、独立して立脚する支持脚が、積み重ね可能な脚本体により高さ調整されるとともに、脚本体と基台との連結手段により高さ調整されて、設置面の不陸や段差いかんに拘わらずエアコン室外機をほぼ水平に支持することができるので、この支持脚は、簡単な構造であるとともに、室外機を、安定して支持することができる。ここで、特に、支持脚の高さ調整は、脚本体による概略の調整と、最下部の脚本体と基台による微調整とで、すばやく行われる。
【００５０】
また、一の脚本体の下面開口から、他の脚本体の上面側が嵌まり込むようにして、脚本体を積み重ねることで、コンパクトにできるので、この脚本体の運搬や保管が容易となる。
また、脚本体を積み重ねたとき、内周段部と上面とを、そして、下面と外周段部とを当接させることで、この支持脚の耐荷重を大きくすることができる。
【００５１】
【００５２】
そして、脚本体と基台とは、脚本体の雌ねじ部と、基台の雄ねじ部との螺合の度合いを調整することで、支持脚を無段階に高さ調整することができる。
【００５３】
しかも、雌ねじ部は、中空体からなる脚本体の径大部の内周に設けられ、雄ねじ部は、基台の外周に設けられているので、雌ねじ部および雄ねじ部のねじ径を大きくすることができ、脚本体と基台とを強固に連結することができるので、室外機を一層安定して支持することができる。
【００５４】
また、基台は、下面に開口するので、基台が、設置面に直接当接する場合であっても、基台の下面周囲のみが設置面に当接する。従って、設置面が不陸状態にあっても、その影響を受けにくい。
【００５５】
【００５６】
【００５７】
【００５８】
【００５９】
また、請求項２に記載されたエアコン室外機の支持脚装置によれば、設置面が傾斜面であっても、支持脚がスペーサー部材に載る位置を調整することで、支持脚を鉛直方向に立脚させることができるので、この支持脚装置は、簡単な構造であるとともに、エアコン室外機を、安定して支持することができる。
【００６０】
また、請求項３に記載されたエアコン室外機の支持脚装置によれば、設置面が傾斜面であっても、支持脚がスペーサー部材に載る位置を調整することで、支持脚を鉛直方向に立脚させることができるので、この支持脚装置は、簡単な構造であるとともに、エアコン室外機を、安定して支持することができる。
【００６１】
【００６２】
また、スペーサー部材を適宜枚数積み重ねることで、各支持脚装置の高さを調節することができ、設置面の不陸や段差いかんに拘わらず、エアコン室外機をほぼ水平に支持することができる。
【００６３】
また、前記スペーサー部材の積み重ねにおいて、スペーサー部材を、順次横にずれた位置で積み重ねることで、設置面の傾斜が急であっても、支持脚を鉛直方向に立脚させることができる。
【００６４】
また、積み重ねられるスペーサー部材は、一方向に互いにずれることができるので、設置面の傾斜角に応じて、各スペーサー部材の一方向の互いのずれを調整することが容易となり、その調整作業を迅速に行うことができる。
【図面の簡単な説明】
【図１】  この発明に係るエアコン室外機の支持脚、および支持脚装置の第一の実施の形態の、斜視図である。
【図２】  同じく、支持脚装置の拡大縦断面図である。
【図３】  同じく、支持脚装置の分解斜視図である。
【図４】  図３における、Ａ−Ａ線による拡大断面図である。
【図５】  図３における、Ｂ−Ｂ線による拡大断面図である。
【図６】  この発明に係るエアコン室外機の支持脚、および支持脚装置の第二の実施の形態の、部分断面図である。
【図７】  図６における、要部拡大図である。
【図８】  従来の支持脚を示す斜視図である。
【図９】  従来の、他の支持脚を示す斜視図である。
【符号の説明】
１  エアコン室外機（室外機）        ２  設置面
２ａ  前側設置面（設置面）          ２ｂ  後側設置面（設置面）
３  支持脚                          ４  スペーサー部材
４ａ  上面                          ４ｂ  上面凹凸部
４ｃ  下面                          ４ｄ  下面凹凸部
４ｅ  上面溝                        ４ｆ  上面リブ
４ｇ  下面溝                        ４ｈ  下面リブ
５  支持脚装置                      ６  脚本体
６ａ  下面                          ６ｂ  開口部
６ｃ  径小部                        ６ｄ  径大部
６ｆ  第２の段部（外周段部）        ６ｇ  第３の段部（内周段部）
６ｉ  上面                          ６ｊ  固定部
６ｋ  穴部（螺入部）                ６ｍ  溝部（螺入部）
６ｐ  雌ねじ部（第１のねじ部）      ７  基台
７ｃ  雄ねじ部（第２のねじ部）      ７ｄ  下面
７ｅ  開口部                        ８  固定ネジ
【図１】
0003751161.tif 000002
【図２】
0003751161.tif 000003
【図３】
0003751161.tif 000004
【図４】
0003751161.tif 000005
【図５】
0003751161.tif 000006
【図６】
0003751161.tif 000007
【図７】
0003751161.tif 000008
【図８】
0003751161.tif 000009
【図９】
0003751161.tif 000010